(57)【特許請求の範囲】
【請求項１】
通話中に第三者からの発呼があると、回線の閉結を行い通話先との通話路を形成している被呼側に２つのＤＴＭＦ信号と第三者の電話番号情報を含むモデム信号とを順次送出する交換局に接続された電話装置であって、
前記電話装置は、回線の閉結及び開放を行う回線制御手段と、回線から送られてくるＤＴＭＦ信号と前記第三者の電話番号を含んだモデム信号とを検出する検出手段と、送話器と受話器とからなる送受話手段と、前記送受話手段の送話器から入力された信号をミュートオンする送話ミュート手段と、回線から入力され前記送受話手段の受話器から送出される信号をミュートオンする受話ミュート手段とを有し、
前記回線制御手段が回線の閉結を行い通話先との通話路を形成している際に、前記検出手段が回線から送られてくる第1の前記ＤＴＭＦ信号を検出すると、前記送話ミュート手段が送話ミュートオンし、続いて前記検出手段が第２の前記ＤＴＭＦ信号の検出するか又は回線から送られてくるモデム信号を検出すると前記受話ミュート手段が受話ミュートオンするよう制御する制御手段を有することを特徴とする電話装置。
【請求項２】
請求項１記載の電話装置であって、
前記電話装置は、前記検出手段が検出したモデム信号から第三者の電話番号データを検出する電話番号検出手段と、該電話番号検出手段が検出した電話番号を報知する報知手段とを有し、
前記検出手段が回線から前記モデム信号を検出開始すると、前記電話番号検出手段が前記モデム信号中の第三者の電話番号データを検出し、前記検出手段が回線から前記モデム信号を検出しなくなると、前記送話ミュート手段及び前記受話ミュート手段がミュートを解除し、前記報知手段が前記電話番号検出手段により検出された電話番号を報知することを特徴とする電話装置。
【発明の詳細な説明】
【０００１】
【産業上の利用分野】
本発明は電話装置に関する。
【０００２】
【従来の技術】
近年では、発呼側の電話番号を着呼側に通知するサービスであるナンバーディスプレイサービスを日本電信電話株式会社が提供している。
【０００３】
このナンバーディスプレイサービス対応の電話装置は、着呼時に交換機から発呼側の電話番号データを受信して表示することが可能である為、電話装置のユーザは、着呼に応答する前にだれからの着呼であるかを確認することができる。
【０００４】
又、電話装置のユーザが回線を介して通話先との通話を行っている際に第三者からの着呼があると、現在の通話先との通話を一旦保留状態にして第三者との通話を開始する事が可能な所謂キャッチホンサービスなるものもある。
【０００５】
更に、上記ナンバーディスプレイサービスとキャッチホンサービスとを組み合わせたサービスとして、電話装置のユーザが通話先との通話を行っている際に第三者からの着呼があると、交換機から前記電話装置へ第三者の電話番号データを送信するものもある。
【０００６】
このサービスに対応する電話装置は、電話装置のユーザが通話先との通話を行っている際に第三者からの着呼を検出すると、交換機からの第三者の電話番号データを受信して表示部に表示させる。
【０００７】
電話装置のユーザは、表示部に表示されている第三者の電話番号を見ることにより第三者がだれであるかを確認することが可能である。
【０００８】
次に、このようなサービスの接続動作について以下に説明する。
【０００９】
図３は、前記サービスの接続動作シーケンスを示す図である。
【００１０】
先ず、電話装置のユーザが回線と接続された通話先と通話を行っている際に第三者からの着呼がある際には、交換機から前記電話装置に第三者からの着呼があることを示す着信表示音が送出される。
【００１１】
前記交換機は、着信表示音を送出した約１秒後に２つのＤＴＭＥ信号からなる情報受信端末起動音を前記電話装置に送出し、前記ＤＴＭＦ信号送出の０．３秒以上後に続いて第三者の電話番号データを含んだモデム信号を前記電話装置に送出する。その後、約０．１秒後に前記電話装置に再度着信表示音を送出して、電話装置のユーザに第三者からの着呼に応答するよう促す。
【００１２】
上記サービスにおいて、ＤＴＭＦ信号はモデム信号に対する同期信号の役割を果たす為、第三者の電話番号表示を正確にするにはモデム信号を正確に検出する必要があることはもちろんのこと、夫々のＤＴＭＦ信号も通話における音声信号と区別して正確に受信する必要がある。
【００１３】
かかる必要性から、ＤＴＭＦ信号の検出に基づき所定のタイミングで送話系にミュートをかけマイクから入力されたユーザの声が２線４線変換回路で受話経路に回り込み、ＤＴＭＦ検出、モデム信号検出に影響を与えないようにしている。
【００１４】
【発明が解決しようとする課題】
ところが、通常の電話装置においては、保留音を電話回線に送出する保留回路が設けられており、かかる保留回路では保留時、相手側の音声がスピーカより再生されないようにすると共に自己の音声が相手側に伝わらないようにする為に送話系受話系共にミュートをかけるようにしている。従って、制御系としては、送話系受話系に共通の制御ラインでミュートをかけるようにしており、上記サービスにおいては、送話系にミュートをかけると同時に受話系にもミュートがかかることになる。
【００１５】
図４（ａ），（ｂ）は、ミュートをかけるタイミングを示すタイムチャートであり、図４（ａ）は、第１のＤＴＭＦを検出した際に送話系受話系共にミュートオンする例であり、図４（ｂ）は、第２のＤＴＭＦ信号を検出した際に送話系受話系ともにミュートオンする例である。
【００１６】
尚、第１、第２のＤＴＭＦ信号の送出時間が約６０〜１２０（ｍｓ）であり、前記第１のＤＴＭＦ信号と前記第２のＤＴＭＦ信号との間には、約４０〜７０（ｍｓ）の区間ある。又、前記第２のＤＴＭＦ信号とモデム信号との間の時間は少なくとも３００（ｍｓ）以上あり、前記モデム信号の送出時間が約２５０〜３５０（ｍｓ）である。
【００１７】
図４（ａ）では、第２のＤＴＭＦ信号、モデム信号の区間において送話系にミュートをかけているので検出誤りが少なくなる反面、受話系のミュート期間が少なくとも約６５０（ｍｓ）と長い時間となるのでユーザは相手側の音声信号を聞く事ができず回線に不具合が生じたと間違うことがある。
【００１８】
又、図４（ｂ）では、受話系のミュート期間が短い為にユーザが回線に不具合が生じたと勘違いすることがなくなる反面、第１、第２のＤＴＭＦ信号の区間においては送話系にミュートをかけていない為に検出誤りが多くなる。
【００１９】
【課題を解決するための手段】
本発明は、通話中に第三者からの発呼があると、回線の閉結を行い通話先との通話路を形成している被呼側に２つのＤＴＭＦ信号と第三者の電話番号情報を含むモデム信号とを順次送出する交換局に接続された電話装置であって、前記電話装置は、回線の閉結及び開放を行う回線制御手段と、回線から送られてくるＤＴＭＦ信号と前記第三者の電話番号を含んだモデム信号とを検出する検出手段と、送話器と受話器とからなる送受話手段と、前記送受話手段の送話器から入力された信号をミュートオンする送話ミュート手段と、回線から入力され前記送受話手段の受話器から送出される信号をミュートオンする受話ミュート手段とを有し、前記回線制御手段が回線の閉結を行い通話先との通話路を形成している際に、前記検出手段が回線から送られてくる第1の前記ＤＴＭＦ信号を検出すると、前記送話ミュート手段が送話ミュートオンし、続いて前記検出手段が第２の前記ＤＴＭＦ信号の検出するか又は回線から送られてくるモデム信号を検出すると前記受話ミュート手段が受話ミュートオンするよう制御する制御手段を有することを特徴とする。
【００２０】
請求項２記載の電話装置は、請求項１記載の電話装置であって、前記電話装置は、前記検出手段が検出したモデム信号から第三者の電話番号データを検出する電話番号検出手段と、該電話番号検出手段が検出した電話番号を報知する報知手段とを有し、前記検出手段が回線から前記モデム信号を検出開始すると、前記電話番号検出手段が前記モデム信号中の第三者の電話番号データを検出し、前記検出手段が回線から前記モデム信号を検出しなくなると、前記送話ミュート手段及び前記受話ミュート手段がミュートを解除し、前記報知手段が前記電話番号検出手段により検出された電話番号を報知することを特徴とする。
【００２２】
【発明の実施の形態】
図１は、本発明を適用してなる実施例装置のブロック図である。
【００２３】
尚、図１においてリンガ回路等の各種回路は、本発明と直接関係が無い為省略する。
【００２４】
図１において、網制御部１００は回線Ｌと接続されており回線Ｌの閉結及び開放と回線Ｌからの着信の検出とを行う。
【００２５】
モデム１１０は、回線Ｌからの着信表示音及びモデム信号の検出と、前記モデム信号内に含まれている第三者の電話番号データの検出とを行う。
【００２６】
ＤＴＭＦレシーバ１２０は、回線ＬからのＤＴＭＦ（Ｄｕａｌ  Ｔｏｎｅ  Ｍｕｌｔｉ  Ｆｒｅｑｕｅｎｃｙ）信号の検出を行う。
【００２７】
表示部１３０は、前記モデム１１０が検出した第三者の電話番号データを表示する。
【００２８】
受話ミュート回路１４０は、回線Ｌから入力した音声信号やデータ信号のレベルを落とし（ミュートオン）、前記信号が後述する送受話器１８０のスピーカ１８１から送出されることを防ぐものである。
【００２９】
送話ミュート回路１５０は、後述する送受話器１８０のマイク１８２から入力された音声信号のレベルを落とし（ミュートオン）、前記信号が網制御部１００及びスピーチネットワーク回路１９０を介して回線Ｌへ送出されることを防ぐものである。
【００３０】
アンプ１６０は、前記受話ミュート回路１４０から入力した信号を増幅する。
【００３１】
アンプ１７０は、後述する送受話器１８０のマイク１８２から入力した信号を増幅する。
【００３２】
送受話器１８０は、前記アンプ１６０の出力側と接続され回線Ｌからの信号を音声信号として送出するスピーカ１８１と、前記アンプ１７０の入力側と接続されユーザの発生する音声を電気信号に変換するマイク１８２とからなる。
【００３３】
スピーチネットワーク回路１９０は例えば２線４線変換回路等を有し、送話及び受話の経路切り換えを行う。
【００３４】
尚、前記網制御部１００と接続された送受話路ａは、前記スピーチネットワーク回路内で前記モデム１１０とＤＴＭＦレシーバ１２０と受話ミュート回路１４０とに接続された受話路ｃと、送話ミュート回路１５０と接続された送話路ｂとに接続されている。
【００３５】
制御部２００は、これら各回路の制御を司る。
【００３６】
図２は、本実施例装置の動作を示すタイミングチャートである。
【００３７】
先ず、網制御部１００が回線Ｌを閉結し、回線Ｌと接続された相手先との通話中に第三者から電話装置への発呼がある際には、図１のモデム１１０は、回線Ｌと接続された交換機からの着信表示音を検出し、検出された着信表示音が受話ミュート回路１４０(この時ミュートオフ状態)とアンプ１６０を通り送受話器１８０のスピーカ１８１から送出される。
【００３８】
続いて、制御部２００は、回線Ｌから例えば周波数が８５２Ｈｚの信号と周波数が１６３３Ｈｚの信号とからなる第１ＤＴＭＦ信号を検出したことを示す信号をＤＴＭＦレシーバ１２０から受信すると、送話ミュート回路１５０をミュートオンさせる。これにより、送受話器１８０のマイク１８２から入力された信号が回線Ｌへ送出されなくなる。
【００３９】
次に、制御部２００は、回線Ｌと接続された交換機から例えば周波数が９４１Ｈｚの信号と周波数が１６３３Ｈｚの信号とからなる第２ＤＴＭＦ信号を検出したことを示す信号をＤＴＭＦレシーバ１２０から受信しこの受信が終了すると、受話ミュート回路１４０をミュートオンする。これにより、回線Ｌから入力した信号が送受話器１８０のスピーカ１８１から送出されなくなる。
【００４０】
その後、制御部２００は、回線Ｌから前記モデム信号を検出したことを示す信号をモデム１１０から受信すると、前記モデム信号に含まれている第三者の電話番号データを前記モデム１１０に検出させる。
【００４１】
制御部２００は、回線Ｌから前記モデム信号を受信したことを示す信号をモデム１１０から受信しなくなると、検出された電話番号データをモデム１１０から表示部１３０へ送出させ、表示部１３０に電話番号を表示させる。又、制御部２００は、受話ミュート回路１４０と送話ミュート回路１５０とをミュートオフにする。
【００４２】
ユーザは、表示部１３０に表示されている第三者の電話番号を見る事により誰からの着信であるかを認識することが可能である。又、第三者よりも現在の通話先との方が優先度が高い場合には第三者からの着信に応答せずに通話を続けることができる。
【００４３】
このように、本実施例装置では、送話と受話夫々を異なるタイミングでミュートオン可能であり、回線Ｌを介して交換機から送出される第１ＤＴＭＦ信号を検出すると送話ミュートオンとする構成にしている。この為、ユーザの声により第２のＤＴＭＦ信号とモデム信号とが検出されないという問題を回避することが可能である。
【００４４】
又、交換機から送出される第２ＤＴＭＦ信号を検出すると受話ミュートオンとする構成にしている。この為、モデム信号が送出される約２５０〜３００（ｍｓ）の長い時間の間受話器からモデム信号音が送出され、ユーザに不快感を与えることがなく、更に第１のＤＴＭＦ信号と第２のＤＴＭＦ信号が送出される約１６０〜３１０（ｍｓ）ほどの長時間の間受話器から音声が聞こえず回線に異常が生じたとユーザが間違えることがない。
【００４５】
尚、本実施例では、ＤＴＭＦ信号とモデム信号受信時に送話と受話を夫々異なるタイミングでミュートオンとしているが、保留時には送話系と受話系が同時にミュートオンとなる。
【００４６】
又、ＤＴＭＦレシーバ１２０が第１ＤＴＭＦ信号を検出開始した時点で送話ミュートオンとしたが、第１ＤＴＭＦ信号の検出が終了した時点や第２ＤＴＭＦ信号を検出開始した時点で送話ミュートオンとする構成にしても良い。
【００４７】
更に、第２ＤＴＭＦ信号を検出し検出終了した時点で受話ミュートオンとしたが、第２ＤＴＭＦ信号を検出開始した時点又はモデム信号を検出した時点で受話ミュートオンとする構成にしても良い。
【００４８】
【発明の効果】
本発明の電話装置は、交換機からのＤＴＭＦ信号とモデム信号とを検出する最適な構成となっている。
【図面の簡単な説明】
【図１】  本発明を適用してなる実施例装置のブロック図である。
【図２】  本実施例装置の動作を示すタイミングチャートである。
【図３】  交換機と端末間との接続動作シーケンスを示す図である。
【図４】  従来装置の動作を示すタイミングチャートである。
【符号の説明】
１００  網制御部
１１０  モデム
１２０  ＤＴＭＦレシーバ
１３０  表示部
１４０  受話ミュート回路
１５０  送話ミュート回路
１６０  アンプ
１７０  アンプ
１８０  送受話器
１８１  スピーカ
１８２  マイク
１９０  スピーチネットワーク回路
２００  制御部
【図１】
0003749085.tif 000002
【図２】
0003749085.tif 000003
【図３】
0003749085.tif 000004
【図４】
0003749085.tif 000005